(57)【要約】【課題】簡単な構造で確実に被取付部材とナット部品がかしめにより固定され、製造コストも安価なかしめ用ナット部品とその取付構造を提供する。【解決手段】円筒形の本体１３と、本体１３の内周面に形成された雌ねじ１４と、本体１３の外側面に雌ねじ１４のねじ方向に一定形状の三角波形状等の凹凸部１６を有する。本体１３は、被取付部材である筐体１の透孔１８よりもわずかに外径が大きく、透孔１８にかしめにより取り付けられる。筐体１の透孔１８の周縁部が凹凸部１６に塑性変形して食い込み、本体１３が固定される。【選択図】        図１
2004316719.tif 000002
【特許請求の範囲】
【請求項１】
円筒形の本体と、上記本体の内周面に形成された雌ねじと、上記本体の外側面に上記雌ねじのねじ方向に一定形状の凹凸部が設けられていることを特徴とするかしめ用ナット部品。
【請求項２】
上記凹凸部は、歯車状に連続するほぼ三角波形状に形成されていることを特徴とする請求項１記載のかしめ用ナット部品。
【請求項３】
加圧により塑性変形する被取付部材に、取付用の透孔が形成され、上記透孔よりもわずかに外径が大きい円筒形の本体を有し上記本体の内周面に雌ねじが形成され上記本体の外側面には上記雌ねじのねじ方向に一定形状の凹凸部が設けられているかしめ用ナット部品を設け、このかしめ用ナット部品が上記透孔にかしめにより取り付けられ、上記被取付部材の上記透孔の周縁部がかしめ用ナット部品の上記凹凸部に塑性変形して食い込み、上記かしめ用ナット部品が固定されて成ることを特徴とするかしめ用ナット部品の取付構造。
【発明の詳細な説明】
【０００１】
【発明の属する技術分野】
この発明は、電源装置の筐体構造等に部品等を取り付けるために設けられたかしめ用ナット部品とその取付構造に関する。
【０００２】
【従来の技術】
【特許文献１】特開２０００−２１３５９３号公報
従来、電源装置等においては、電気部品や基板が取り付けられた筐体１が設けられ、特許文献１や図６に示すように、筐体１はアルミ板などの金属板を所定形状に折り曲げて作られている。筐体１は、外部の金属板８等にねじ１０で取り付けられるもので、その取付位置に透孔が形成され、この透孔には、筐体１を金属板８等に取り付ける面と反対側の面１ａに、予めナット部品２が突出して固定されている。
【０００３】
従来ナット部品２は、図５に示すように円筒形のナット本体３を有し、ナット本体３の内周面には雌ねじ４が形成されている。ナット本体３の雌ねじ４の挿通方向の一端部には、ナット本体３よりも径が小さく歯車状に連続した三角波形状が一周して形成されたナーリング５が一体に設けられている。ナーリング５の外側端部５ａには、逃げテーパ６を有するパイロット部７が設けられている。逃げテーパ６は、ナーリング５から離れるに従い径が大きくなる円錐状に形成されている。
【０００４】
このようなナット部品２の製造方法は、金属の丸棒を所定の長さに切断し、その後、雌ねじ４とナーリング５、パイロット部７を加工していた。また、ナット部品２を筐体１に取り付ける方法は、まずナット部品２のパイロット部７を筐体１の透孔に入れる。このとき、筐体１の透孔は、パイロット７がちょうど嵌合可能な径に形成され、ナーリング５は透孔の周縁部に当接した状態となる。この状態で、筐体１とナット部品２をプレスする。これにより筐体１の透孔周縁部がナーリング５の溝の内側とパイロット７の逃げテーパ６側に塑性変形して入り込む。これによりナーリング５部分ではナット部品２の回転を止め、パイロット部７の逃げテーパ６部分でナット部品２の抜けを防止し、確実に固定される。
【０００５】
そして、筐体１が取り付けられる他の部材である金属板８等には、取付孔９が設けられ、筐体１を金属板８等に取り付けるときは、筐体１の取付面１ｂに金属板８を重ね、金属板８の取付孔９を筐体１の透孔に一致させ、ねじ１０を金属板８側から差し込み、ナット部品２の雌ねじ４に螺合させ固定する。
【０００６】
【発明が解決しようとする課題】
上記従来の技術の場合、ナット部品２はひとつひとつナーリング５とテーパ６、及びパイロット部７を加工する必要があるため、手間がかかり、コストが高いものである。特にナーリング５を加工するコストが高かった。ナーリング５を設けず、テーパ６を有するパイロット部７のみが設けられたナット部品もあるが、この場合はコストが安いがかしめの取付強度が弱く、ねじを螺合させるときに大きなトルクをかけると回転してしまうという問題がある。
【０００７】
この発明は上記従来の問題点に鑑みてなされたものであり、簡単な構造で確実に被取付部材とナット部品がかしめにより固定され、製造コストも安価なかしめ用ナット部品とその取付構造を提供することを目的とする。
【０００８】
【課題を解決するための手段】
この発明は、円筒形の本体と、上記本体の内周面に形成された雌ねじと、上記本体の外側面に上記雌ねじのねじ方向に一定の三角波形状等の凹凸部が設けられていることを特徴とするかしめ用ナット部品である。上記凹凸部は、歯車状に連続する形状に形成されている。
【０００９】
またこの発明は、加圧により塑性変形する被取付部材に、取付用の透孔が形成され、上記透孔よりもわずかに外径が大きい円筒形の本体を有し上記本体の内周面に雌ねじが形成され上記本体の外側面には上記雌ねじのねじ方向に一定形状の凹凸部が設けられているかしめ用ナット部品を設け、このかしめ用ナット部品が上記透孔にかしめにより取り付けられ、上記被取付部材の上記透孔の周縁部がかしめ用ナット部品の上記凹凸部に塑性変形して食い込み、上記かしめ用ナット部品が固定されて成るかしめ用ナット部品の取付構造である。
【００１０】
この発明のかしめ用ナット部品は、かしめ用ナット部品の製造に際して、一定のパターンの凹凸部が外側面に長手方向に形成された金属製の棒を、所定長さで切断して形成することができる。
【００１１】
【発明の実施の形態】
以下、この発明の実施形態について図面に基づいて説明する。図１，図２は、この発明の一実施形態を示すものであり、この実施形態のかしめ用のナット部品１２は、例えば真鍮（黄銅）やステンレス等で作られている。ナット部品１２は、図１，図２に示すように円筒形の本体１３から成り、本体１３の内周面に雌ねじ１４が形成されている。本体１３の外側面には、雌ねじ１４の挿通方向に対して平行な、歯車状に連続する三角波で形成された凹凸部１６が、均一に一定のパターンで形成されている。
【００１２】
ナット部品１２の製造方法は、略歯車状の凹凸部１６を長手方向に一定の形状に形成された金属製の中空の丸棒を、所定長さで切断し、内周面に雌ねじ１４を形成する。また、金属製の中空の丸棒に予め雌ねじ１４を形成し、所定長さで切断しても良い。
【００１３】
次に、ナット部品１２の、被取付部材への取付構造について図３に基づいて説明する。ここで、被取付部材は、例えば電源装置等に設けられる筐体１である。筐体１は、例えばアルミ板をコの字形等所定形状に折り曲げて作られ、電気装置や金属板などを取り付けて保持するものである。まず、筐体１には、図３（ａ）に示すように、後述する電気装置や金属板２０に、ねじ２４で筐体構造１１を取り付けるために、透孔１８が形成されている。次に図３（ｂ）に示すように、透孔１８の上にナット部品１２を載せる。このとき、透孔１８はナット部品１２の外側面よりも径がわずかに小さく設けられ、透孔１８の周囲にナット部品１２の周縁部が当接する。そして、図３（ｃ）に示すように、ナット部品１２と筐体１をプレス装置１９で挟持し加圧する。プレス装置１９は、油圧プレスや、機械プレス等が使用される。加圧することによりナット部品１２は筐体１に押し込まれ、筐体１の透孔１８の周縁部が、ナット部品１２の凹凸部１６の内側に塑性変形して食い込む。これによりナット部品１２が確実に筐体１の壁面に固定される。
【００１４】
次に、図３（ｄ）に示すように、筐体１を取り付ける金属板２０を位置決めし、金属板２０の取り付け用の透孔２２と筐体１のナット部品１２が取り付けられた透孔１８とを一致させた状態で、筐体１を金属板２０に重ねる。そして、金属板２０側からねじ２４を挿入し、ナット部品１２の雌ねじ１４に螺合する。
【００１５】
この実施形態のナット部品１２によれば、簡単な構造で確実に筐体１を金属板２０等の部材を取り付けることができ、製造コストが安く、生産効率が良い。特に、ナット部品１２は、テーパ等の複雑な加工が不要であり、略歯車状の凹凸部が形成された金属棒を所定長さに切断して作られるため、短時間で効率良く安価に生産することができる。ナット部品１２の取付構造は、ナット部品１２がかしめられ、凹凸部１６の内側に筐体１の透孔１８周縁部が塑性変形して入り込んでいるため、確実に固定される。
【００１６】
また、ナット部品１２の外側面の形状は、図４に示すナット部品２６のように、六角柱形状に形成されても良い。六角柱の６個の各側面に、三角波状の凹凸部２８が設けられている。この場合、ナット部品２６を取り付ける筐体１には、ナット部品２６が嵌合される六角形の透孔が形成される。ナット部品２６によれば、ナット部品１２と同様の効果があり、さらに回転防止効果が高い。
【００１７】
なお、この発明のかしめ用ナット部品とその取付構造は、上記実施形態に限定されず、かしめ用ナットの外側面の断面形状は、円や六角形以外に三角形や四角形など、自由に変更可能であり、凹凸部の形状も、三角波形状以外に四角形や半円状の凹凸等自由に形成することができる。さらに、かしめ用ナット部品や被取付部材の、素材は自由に変更可能である。
【００１８】
【発明の効果】
この発明のかしめ用ナット部品よれば、製造が簡単でコストが安価である。そしてカシメ用ナットの取付構造は、簡単な構造で被取付部材に確実にかしめにより取りつけることができる。
【図面の簡単な説明】
【図１】この発明の一実施形態のかしめ用ナット部品の部分破断正面図である。
【図２】この実施形態のかしめ用ナット部品の斜視図である。
【図３】この実施形態のかしめ用ナット部品の取付工程を示す縦断面図である。
【図４】この実施形態のカシメ用ナット部品の変形例を示す斜視図である。
【図５】従来の技術のカシメ用ナット部品の部分破断正面図である。
【図６】従来の技術のカシメ用ナット部品の取付状態を示す斜視図である。
【符号の説明】
１  筐体
１１  筐体構造
１２  ナット部品
１３  本体
１４  雌ねじ
１６  凹凸部
１８，２２  透孔
２０  基板
２４  ねじ
【図１】
2004316719.tif 000003
【図２】
2004316719.tif 000004
【図３】
2004316719.tif 000005
【図４】
2004316719.tif 000006
【図５】
2004316719.tif 000007
【図６】
2004316719.tif 000008